(57)【要約】【課題】  撮像手段の受光部にゴミやホコリがたまらず、また汚れが付着しにくい指紋照合装置を提供する。【解決手段】  指紋２Ａを有する被検体２を指紋の表面と非接触で保持し得る被検体保持部３と、上記被検体保持部３の下方に設置され、上記被検体２を透過し得る光を照射する光源５と、上記被検体保持部３の上方に設置され、上記被検体２の指紋２Ａを透過した光を撮像し、上記指紋に対応する指紋画像を得る撮像手段６と、上記撮像手段６から出力された指紋画像を処理して指紋情報を得ると共に、この指紋情報と予め記憶された指紋情報とを照合する信号処理部７とを備えた構成とする。【選択図】図１
2006326176.tif 000002
【特許請求の範囲】
【請求項１】
指紋を有する被検体を指紋の表面と非接触で保持し得る被検体保持部と、上記被検体保持部の下方に設置され、上記被検体を透過し得る光を照射する光源と、上記被検体保持部の上方に設置され、上記被検体の指紋を透過した光を撮像し、上記指紋に対応する指紋画像を得る撮像手段と、上記撮像手段から出力された指紋画像を処理して指紋情報を得ると共に、この指紋情報と予め記憶された指紋情報とを照合する信号処理部とを備えた指紋照合装置。
【請求項２】
指紋を有する被検体を指紋の表面と非接触で保持し得る被検体保持部と、上記被検体保持部の側方に設置され、上記被検体を透過し得る光を照射する光源と、上記被検体保持部の上記光源とは反対側の側方に設置され、上記被検体の指紋を透過した光を撮像し、上記指紋に対応する指紋画像を得る撮像手段と、上記撮像手段から出力された指紋画像を処理して指紋情報を得ると共に、この指紋情報と予め記憶された指紋情報とを照合する信号処理部とを備えた指紋照合装置。
【請求項３】
指紋を有する被検体を指紋の表面と非接触で保持し得る被検体保持部と、上記被検体保持部の上方に設置され、上記被検体を透過し得る光を照射する光源と、上記被検体保持部の下方に設置され、上記被検体の指紋を透過した光を撮像し、上記指紋に対応する指紋画像を得ると共に、撮像部の外面を覆うカバーを設けた撮像手段と、上記撮像手段から出力された指紋画像を処理して指紋情報を得ると共に、この指紋情報と予め記憶された指紋情報とを照合する信号処理部とを備えた指紋照合装置。
【請求項４】
指紋を有する被検体を指紋の表面と非接触で保持し得る被検体保持部と、上記被検体保持部の上方に設置され、上記被検体を透過し得る光を照射する光源と、上記被検体保持部の下方に設置され、上記被検体の指紋を透過した光を撮像し、上記指紋に対応する指紋画像を得ると共に、撮像部の上面にスライド式のカバーを設けた撮像手段と、上記撮像手段から出力された指紋画像を処理して指紋情報を得ると共に、この指紋情報と予め記憶された指紋情報とを照合する信号処理部とを備えた指紋照合装置。
【請求項５】
指紋を有する被検体を指紋の表面と非接触で保持し得る被検体保持部と、上記被検体保持部の上方に設置され、上記被検体を透過し得る光を照射する光源と、上記被検体保持部の下方に設置され、上記被検体の指紋を透過した光を撮像し、上記指紋に対応する指紋画像を得ると共に、撮像部へ送風可能な送風手段を設けた撮像手段と、上記撮像手段から出力された指紋画像を処理して指紋情報を得ると共に、この指紋情報と予め記憶された指紋情報とを照合する信号処理部とを備えた指紋照合装置。
【請求項６】
上記送風手段は、上記指紋画像を得る直前に撮像部へ送風するようにされたことを特徴とする請求項５記載の指紋照合装置。
【請求項７】
上記撮像手段によって得られた指紋情報を予め記憶された指紋情報との照合により撮像された指紋情報の汚れを検出した時に警告を発することを特徴とする請求項１〜請求項６のいずれか１項記載の指紋照合装置。
【発明の詳細な説明】
【技術分野】
【０００１】
この発明は指紋照合装置、特にゴミやホコリあるいは汚れによる照合性能の悪化を防止することが出来る指紋照合装置に関するものである。
【背景技術】
【０００２】
図６は、従来の指紋照合装置を示すもので、（ａ）は機能及び全体構成を説明するための概略図、（ｂ）は具体的構造を示す概略斜視図である。
これらの図に示されるように、ほぼコ字状に形成された照合装置本体１の下方腕部１Ｂの上面に被検体となる指先２を保持する被検体保持部３が設けられている。
【０００３】
この被検体保持部３はほぼＵ字状に形成された突出部からなり、指先２をその上面に載置した時、指紋２Ａの表面と被検体保持部３とが非接触の状態で指先２を保持し得るようにされている。
【０００４】
また、上方腕部１Ａ内には指先２を透過し得る光を矢印４で示すように、下方に向けて照射する光源５が設置されている。この光源５はレーザや発光ダイオード、ランプ光源などによって構成され、赤色光乃至近赤外光領域の光を照射するようにされている。
【０００５】
また、照合装置本体１の下方腕部１Ｂ内には被検体保持部３の下方に位置する部分に撮像手段６が設けられ、指先２を透過した光源５からの光を撮像するようになっている。
撮像手段６は結像レンズ６１、撮像素子６２、画像出力回路６３を備えている。
【０００６】
撮像手段６の画像出力回路６３から出力された指紋画像は信号処理部７に入力され、画像処理して指紋情報を得ると共に、予め記憶されている基準情報としての指紋情報と照合され、個人を識別するようにされている。（例えば特許文献１参照）。また、８Ａ、８Ｂは照合結果がＯＫかＮＧかを表示するランプである。
【０００７】
【特許文献１】特開２００３−８５５３８号公報
【発明の開示】
【発明が解決しようとする課題】
【０００８】
従来の指紋照合装置は上記のように構成され、撮像手段６が下方に設置され、上方の光源５から照射される光を受ける構成となっているため、撮像手段６の撮像部あるいは受光部にゴミやホコリがたまり、あるいは汚れが付着することによって指紋画像が影響を受け、照合性能が悪くなるという問題点があった。
【０００９】
この発明は上記のような問題点を解消するためになされたもので、撮像手段の撮像部あるいは受光部にゴミやホコリがたまらず、また汚れが付着しにくい指紋照合装置を提供することを目的とする。
【課題を解決するための手段】
【００１０】
この発明に係る指紋照合装置は、指紋を有する被検体を指紋の表面と非接触で保持し得る被検体保持部と、上記被検体保持部の下方に設置され、上記被検体を透過し得る光を照射する光源と、上記被検体保持部の上方に設置され、上記被検体の指紋を透過した光を撮像し、上記指紋に対応する指紋画像を得る撮像手段と、上記撮像手段から出力された指紋画像を処理して指紋情報を得ると共に、この指紋情報と予め記憶された指紋情報とを照合する信号処理部とを備えたものである。
【発明の効果】
【００１１】
この発明に係る指紋照合装置は上記のように構成され、撮像手段の受光部を下面に位置させて、下方の光源から照射される光を撮像手段の下面で受けるようにしているため、受光部にゴミやホコリがたまることがなく、また汚れも付着しにくくなるものである。
【００１２】
また、撮像手段の受光部を側面に位置させ、被検体保持部の撮像手段とは反対側の側面に設けた光源から照射される光を撮像手段の側面で受けるようにしているため、この場合にも上記と同様な効果が期待できるものである。
【００１３】
更に、光源と撮像手段の位置関係を図６に示す従来装置と同様に配設した場合でも、撮像手段の外面を覆うカバーを設け、あるいは撮像手段の撮像部の上面にスライド式のカバーを設けてゴミやホコリを侵入しにくくしているため、この場合にも十分な効果が期待できるものである。
【００１４】
更にまた、撮像手段に送風手段を設け、常時あるいは指紋画像を得る直前に撮像部へ送風する構成とすることにより、ゴミやホコリを除去することができるため、照合性能の悪化を防ぐことができる。
【００１５】
また、上記各手段によっても撮像部のゴミやホコリを除去し切れず、撮像された指紋情報に汚れが検出された場合には、その旨の警報を発するようにしているため、的確な対処がしやすくなるものである。
【発明を実施するための最良の形態】
【００１６】
実施の形態１．
以下、この発明の実施の形態１を図にもとづいて説明する。図１は、実施の形態１の構成を示すもので、（ａ）は概略構成を示すブロック図、（ｂ）はその具体的構造の例を示す概略斜視図、（ｃ）は具体的構造の他の例を示す概略斜視図である。これらの図において、図６と同一または相当部分には同一符号を付して説明を省略する。
【００１７】
実施の形態１の特徴は図１（ａ）に示すように、光源５を被検体保持部３の下方に設置し、撮像手段６を被検体保持部３の上方に設置したものである。このような配置とすることにより、撮像手段６の受光部が撮像手段の下面に位置することになるため、ゴミやホコリがたまりにくく、また汚れが付着しにくくなるものである。
【００１８】
図１（ｂ）はその具体的構造を示すものである。被検体保持部３は省略されているが、図６と同様な構成のものが上方腕部１Ａの下面に設けられており、指先２は指紋２Ａが被検体保持部に対応するような向きに挿入される。
【００１９】
このような構成とすることにより、撮像手段６の受光部にはゴミやホコリがたまりにくくなり、照合性能の悪化を防止することができる。
【００２０】
図１（ｃ）は実施の形態１の他の実施例を示すもので、図１（ｂ）の構成をそのまま約９０度回転させて、光源５からの光を被検体保持部の側方、図では右側から照射させ、被検体保持部の反対側の側方、図では左側で撮像手段６によって撮像するようにしたものである。
【００２１】
指先２は指紋２Ａが照合装置本体１の左方腕部１Ａの内面に設けられている被検体保持部（図示せず）に対応するように、横に向けて挿入される。
この場合も、撮像手段６の受光部が側面に位置することになるため、ゴミやホコリがたまりにくく、また汚れも付着しにくい。
【００２２】
実施の形態２．
次に、この発明の実施の形態２を図にもとづいて説明する。図２は、実施の形態２の具体的構造の例を示す概略斜視図である。この図において、図１と同一または相当部分には同一符号を付して説明を省略する。
【００２３】
この図では図１（ｂ）と同様に、光源５が照合装置本体１の下方腕部１Ｂに設けられ、撮像手段６が上方腕部１Ａに設けられているが、従来装置と同様に、光源５を上方腕部１Ａに設け、撮像手段６を下方腕部１Ｂに設けてもよい。
【００２４】
実施の形態２の特徴は、照合装置本体１に撮像手段６の撮像部の外面を覆うカバーを設けた点である。具体的には照合装置本体１の両側に側面カバー９Ａ、９Ｂを設け、指先２の挿入部を形成する上方腕部１Ａの端面及び下方腕部１Ｂの端面にそれぞれ上下方向にスライド可能なカバー１０Ａ、１０Ｂを設けたものである。
【００２５】
カバー１０Ａ、１０Ｂは例えば上方腕部１Ａ及び下方腕部１Ｂの各端面にそれぞれ図示のような溝部１１Ａ、１１Ｂを形成し、この溝部内を上下にスライドさせるもので、指先２を挿入しない時は上下のカバー１０Ａ、１０Ｂをスライドさせて、指先挿入部を閉塞し、指先２の挿入時には指先挿入部が開放され、開口部を形成するようにする。
【００２６】
このようにカバーを設けて撮像手段６の撮像部の外面を覆うようにすれば、撮像手段６が上方腕部１Ａに設けられていても、下方腕部１Ｂに設けられていても受光部へのゴミやホコリのたまりを効果的に防止し、また汚れの付着も防止することができる。
【００２７】
実施の形態３．
次に、この発明の実施の形態３を図にもとづいて説明する。図３は、実施の形態３の構成を示す概略図で、撮像手段が下方腕部１Ｂに設けられている場合に特に有効となるものである。即ち、撮像手段６の受光部の上面に例えば溝部１２を形成し、この溝部１２にスライド可能なカバー１３を挿入して装着するようにしたものである。
【００２８】
撮像時にはカバー１３を取り除き、撮像終了時に再びカバー１３を装着する。
このような構成とすることにより、ゴミやホコリはカバー１３の上面にたまるため、汚れがひどくなった状態でカバー１３を抜き取って廃棄し新しいカバーと交換する。
これによって撮像手段の受光部の汚れを防止することができる。
【００２９】
実施の形態４．
次に、この発明の実施の形態４を図にもとづいて説明する。図４は、実施の形態４の構成を示す概略図で、撮像手段が下方腕部１Ｂに設けられている場合に特に有効となるものである。即ち、撮像手段６の上面の受光部の近傍に送風手段１４を設け、常時または指紋画像を得る直前に矢印１５で示すように撮像部に向けて送風し、撮像部あるいは受光部にたまっているゴミやホコリを吹き飛ばして除去するものである。
【００３０】
このような構成とすることにより、撮像部あるいは受光部にゴミやホコリがたまっていたとしても効果的に除去することができる。
【００３１】
実施の形態５．
次に、この発明の実施の形態５を図にもとづいて説明する。図５は、実施の形態５の動作を説明するためのフローチャートである。即ち、実施の形態５は、ステップＳ１で撮像手段６によって指紋画像を取得した後、ステップＳ２で信号処理部７に予め記憶されている基準指紋画像と一致するかどうかをチェックし、撮像手段６の撮像部あるいは受光部にたまっているゴミやホコリなどのために撮像した指紋画像が汚れ、基準指紋画像と一致しない場合にはステップＳ３で警告灯をＯＮにすることによって撮像手段の汚れを警告するようにしたものである。ステップＳ２で基準指紋画像と一致した場合には撮像部あるいは受光部の汚れがないと考えられるため、警告することなく照合処理に進むことになる。
【００３２】
このような構成とすることにより、上述した実施の形態１〜４の手段によってもなお撮像手段の撮像部あるいは受光部に汚れが生ずるような場合にも、この状態を検出して的確に対応することができる。
【図面の簡単な説明】
【００３３】
【図１】この発明の実施の形態１の構成を示す図で、（ａ）は概略構成を示すブロック図、（ｂ）はその具体的構造の例を示す概略斜視図、（ｃ）は具体的構造の他の例を示す概略斜視図である。
【図２】この発明の実施の形態２の具体的構造の例を示す概略斜視図である。
【図３】この発明の実施の形態３の構成を示す概略図である。
【図４】この発明の実施の形態４の構成を示す概略図である。
【図５】この発明の実施の形態５の動作を説明するためのフローチャートである。
【図６】従来の指紋照合装置を示す図で、（ａ）は機能及び全体構成を説明するための概略図、（ｂ）は具体的構造を示す概略斜視図である。
【符号の説明】
【００３４】
１  照合装置本体、  ２  指先、  ２Ａ  指紋、  ３  被検体保持部、  ５  光源、
６  撮像手段、  ７  信号処理部、  ６１  結像レンズ、  ６２  撮像素子、
６３  画像出力回路。
【図１】
2006326176.tif 000003
【図２】
2006326176.tif 000004
【図３】
2006326176.tif 000005
【図４】
2006326176.tif 000006
【図５】
2006326176.tif 000007
【図６】
2006326176.tif 000008